(57)【要約】【課題】表示面内で画像の表示内容を消去するための表示領域を適切に定めることができるタッチパネルセット、タッチパネル装置及びプログラムを提供する。【解決手段】タッチパネル装置１は、表示面１０内の物体が接触した接触領域の位置を検出する。表示面１０に接触させるべきイレーサ２の接触面には、タッチパネル装置１での検出が可能な二個の検出領域を設けてある。タッチパネル装置１は、同時に検出した二個の接触領域の間の距離が所定の距離と一致する場合に、表示面１０内に消去領域を設定する。消去領域は特定の形状及び大きさを有しており、表示面１０に表示された画像の内容の内、消去領域内に含まれた部分が消去される。タッチパネル装置１は、イレーサ２の形状を認識する必要は無く、表示面１０内に消去領域を適切に設定することができる。【選択図】図１
2017010168.tif 000002
【特許請求の範囲】
【請求項１】
画像が表示される表示面、及び該表示面上で物体が接触した接触領域の位置を検出する検出部を備えるタッチパネル装置と、前記表示面が表示した画像の内容を消去するために前記表示面に接触されるイレーサとを含んだタッチパネルセットにおいて、
前記イレーサは、
前記表示面に接触するための接触面を備え、
該接触面は、
前記表示面への接触時に接触領域の位置が前記検出部に検出されない非検出領域と、
前記接触面内で互いに離隔しており、前記表示面への接触時に接触領域の位置が前記検出部に検出される複数の検出領域とを含んでおり、
前記タッチパネル装置は、
複数の接触領域の位置を前記検出部が検出した場合に、前記複数の接触領域の間の距離を計算する距離計算部と、
計算した距離に基づいて、前記複数の検出領域の前記表示面への接触に対応した複数の接触領域の組があるか否かを判定する判定部と、
前記複数の接触領域の組がある場合に、前記複数の接触領域の位置に応じた前記表示面内の位置に、特定の形状及び大きさを有する消去領域を設定する設定部と、
前記表示面に表示された画像から、前記消去領域に含まれる内容を消去する消去部と
を備えることを特徴とするタッチパネルセット。
【請求項２】
前記イレーサは、前記接触面を複数備えており、
前記複数の検出領域の間の距離は、前記接触面別に異なっており、
前記設定部は、前記複数の接触領域の間の距離に応じて前記消去領域の形状又は大きさを定めること
を特徴とする請求項１に記載のタッチパネルセット。
【請求項３】
前記検出部は、静電容量式であり、
前記非検出領域は非導電性材で形成され、
前記検出領域は導電性材で形成されていること
を特徴とする請求項１又は２に記載のタッチパネルセット。
【請求項４】
画像が表示される表示面と、該表示面上で物体が接触した接触領域の位置を検出する検出部とを備えるタッチパネル装置において、
複数の接触領域の位置を前記検出部が検出した場合に、前記複数の接触領域の間の距離を計算する距離計算部と、
計算した距離に基づいて、特定の複数の接触領域の組があるか否かを判定する判定部と、
前記特定の複数の接触領域の組がある場合に、前記特定の複数の接触領域の位置に応じた前記表示面内の位置に、特定の形状及び大きさを有する消去領域を設定する設定部と、
前記表示面に表示された画像から、前記消去領域に含まれる内容を消去する消去部と
を備えることを特徴とするタッチパネル装置。
【請求項５】
前記設定部は、前記表示面内での前記消去領域の向きを、前記特定の複数の接触領域の前記表示面内での配置に応じて定めること
を特徴とする請求項４に記載のタッチパネル装置。
【請求項６】
前記設定部は、前記特定の複数の接触領域の間の距離に応じて前記消去領域の形状又は大きさを定めること
を特徴とする請求項４又は５に記載のタッチパネル装置。
【請求項７】
接触領域の大きさを検出する大きさ検出部を更に備え、
前記設定部は、前記特定の複数の接触領域の大きさ及び前記特定の複数の接触領域の間の距離に応じて前記消去領域の形状又は大きさを定めること
を特徴とする請求項４又は５に記載のタッチパネル装置。
【請求項８】
接触領域の大きさを検出する大きさ検出部を更に備え、
前記判定部は、前記距離計算部が計算した距離及び前記大きさ検出部が検出した大きさに基づいて、特定の複数の接触領域の組があるか否かを判定すること
を特徴とする請求項４から６までのいずれか一つに記載のタッチパネル装置。
【請求項９】
画像が表示される表示面と、該表示面上で物体が接触した接触領域の位置を検出する検出部とを備えるタッチパネル装置に、
複数の接触領域の位置を前記検出部が検出した場合に、前記複数の接触領域の間の距離を計算し、
計算した距離に基づいて、特定の複数の接触領域の組があるか否かを判定し、
前記特定の複数の接触領域の組がある場合に、前記特定の複数の接触領域の位置に応じた前記表示面内の位置に、特定の形状及び大きさを有する消去領域を設定し、
前記表示面に表示された画像から、前記消去領域に含まれる内容を消去する
処理を実行させることを特徴とするプログラム。
【発明の詳細な説明】
【技術分野】
【０００１】
本発明は、位置検出及び画像表示をタッチパネル装置で行い、イレーサを用いて画像の一部を消去するタッチパネルセット、タッチパネル装置及びプログラムに関する。
【背景技術】
【０００２】
タッチパネル装置には、画像を表示する表示パネルと接触位置を検出するためのタッチパネルとを重ねて備え、ペン又は指等でタッチパネルに接触した接触位置の軌跡を表示面に表示するものがある。このようなタッチパネル装置は、例えば、電子黒板として用いられる。また、タッチパネル装置での表示内容を消去するためにイレーサが用いられることがある。イレーサは、タッチパネルに接触されるための接触面を有している。静電容量式のタッチパネル装置で用いられるイレーサでは、接触面は、導電性を有しており、ある程度の面積を有する。イレーサの接触面がタッチパネルに接触された場合、タッチパネル装置は、接触している面積を求め、面積に基づいてイレーサの接触であることを判定し、接触位置に応じて表示内容を消去する。特許文献１には、タッチパネル装置及びイレーサの例が開示されている。
【先行技術文献】
【特許文献】
【０００３】
【特許文献１】特開２００１−１４２６４６号公報
【発明の概要】
【発明が解決しようとする課題】
【０００４】
静電容量式のタッチパネル装置では、タッチパネルに接触したイレーサの接触面の形状又は向き等を正しく認識することが難しい。例えば、接触面の形状が円形であるのか矩形であるのかを認識することが難しい。また、タッチパネル上で接触面が所定の方向（例えば、ｙ軸方向）に対してどのような傾きになっているのかを認識することが難しい。更に、タッチパネル装置は、手のひら又は肘等のある程度の面積を有する導電性の物体がタッチパネルに接触した場合に、イレーサの接触であると誤認識し易い。従って、従来のタッチパネル装置は、接触したイレーサを認識する精度が低く、イレーサに応じて表示面内で画像の表示内容を消去するための表示領域を適切に定めることが難しい。
【０００５】
本発明は、斯かる事情に鑑みてなされたものであって、その目的とするところは、表示面内で画像の表示内容を消去するための表示領域を適切に定めることができるタッチパネルセット、タッチパネル装置及びプログラムを提供することにある。
【課題を解決するための手段】
【０００６】
本発明に係るタッチパネルセットは、画像が表示される表示面、及び該表示面上で物体が接触した接触領域の位置を検出する検出部を備えるタッチパネル装置と、前記表示面が表示した画像の内容を消去するために前記表示面に接触されるイレーサとを含んだタッチパネルセットにおいて、前記イレーサは、前記表示面に接触するための接触面を備え、該接触面は、前記表示面への接触時に接触領域の位置が前記検出部に検出されない非検出領域と、前記接触面内で互いに離隔しており、前記表示面への接触時に接触領域の位置が前記検出部に検出される複数の検出領域とを含んでおり、前記タッチパネル装置は、複数の接触領域の位置を前記検出部が検出した場合に、前記複数の接触領域の間の距離を計算する距離計算部と、計算した距離に基づいて、前記複数の検出領域の前記表示面への接触に対応した複数の接触領域の組があるか否かを判定する判定部と、前記複数の接触領域の組がある場合に、前記複数の接触領域の位置に応じた前記表示面内の位置に、特定の形状及び大きさを有する消去領域を設定する設定部と、前記表示面に表示された画像から、前記消去領域に含まれる内容を消去する消去部とを備えることを特徴とする。
【０００７】
本発明に係るタッチパネルセットは、前記イレーサは、前記接触面を複数備えており、前記複数の検出領域の間の距離は、前記接触面別に異なっており、前記設定部は、前記複数の接触領域の間の距離に応じて前記消去領域の形状又は大きさを定めることを特徴とする。
【０００８】
本発明に係るタッチパネルセットは、前記検出部は、静電容量式であり、前記非検出領域は非導電性材で形成され、前記検出領域は導電性材で形成されていることを特徴とする。
【０００９】
本発明に係るタッチパネル装置は、画像が表示される表示面と、該表示面上で物体が接触した接触領域の位置を検出する検出部とを備えるタッチパネル装置において、複数の接触領域の位置を前記検出部が検出した場合に、前記複数の接触領域の間の距離を計算する距離計算部と、計算した距離に基づいて、特定の複数の接触領域の組があるか否かを判定する判定部と、前記特定の複数の接触領域の組がある場合に、前記特定の複数の接触領域の位置に応じた前記表示面内の位置に、特定の形状及び大きさを有する消去領域を設定する設定部と、前記表示面に表示された画像から、前記消去領域に含まれる内容を消去する消去部とを備えることを特徴とする。
【００１０】
本発明に係るタッチパネル装置は、前記設定部は、前記表示面内での前記消去領域の向きを、前記特定の複数の接触領域の前記表示面内での配置に応じて定めることを特徴とする。
【００１１】
本発明に係るタッチパネル装置は、前記設定部は、前記特定の複数の接触領域の間の距離に応じて前記消去領域の形状又は大きさを定めることを特徴とする。
【００１２】
本発明に係るタッチパネル装置は、接触領域の大きさを検出する大きさ検出部を更に備え、前記設定部は、前記特定の複数の接触領域の大きさ及び前記特定の複数の接触領域の間の距離に応じて前記消去領域の形状又は大きさを定めることを特徴とする。
【００１３】
本発明に係るタッチパネル装置は、接触領域の大きさを検出する大きさ検出部を更に備え、前記判定部は、前記距離計算部が計算した距離及び前記大きさ検出部が検出した大きさに基づいて、特定の複数の接触領域の組があるか否かを判定することを特徴とする。
【００１４】
本発明に係るプログラムは、画像が表示される表示面と、該表示面上で物体が接触した接触領域の位置を検出する検出部とを備えるタッチパネル装置に、複数の接触領域の位置を前記検出部が検出した場合に、前記複数の接触領域の間の距離を計算し、計算した距離に基づいて、特定の複数の接触領域の組があるか否かを判定し、前記特定の複数の接触領域の組がある場合に、前記特定の複数の接触領域の位置に応じた前記表示面内の位置に、特定の形状及び大きさを有する消去領域を設定し、前記表示面に表示された画像から、前記消去領域に含まれる内容を消去する処理を実行させることを特徴とする。
【発明の効果】
【００１５】
本発明にあっては、タッチパネル装置は、表示面内で画像の表示内容を消去するための表示領域を適切に定めることができる。従って、使用者は、イレーサを用いて、タッチパネル装置の表示面に表示された画像の内容を意図通りに消去することが可能となる等、本発明は優れた効果を奏する。
【図面の簡単な説明】
【００１６】
【図１】タッチパネルセットを示す模式図である。
【図２】タッチパネル装置の内部構成を示すブロック図である。
【図３】タッチパネル部の電気的構成を示すブロック図である。
【図４】タッチパネル部の一部の断面を示す模式的断面図である。
【図５】Ｘ軸電極部及びＹ軸電極部の構成例を示す模式的平面図である。
【図６】イレーサの接触面を示す模式図である。
【図７】実施形態１に係る消去領域テーブルの内容例を示す概念図である。
【図８】接触領域テーブルの内容例を示す概念図である。
【図９】検出結果テーブルの内容例を示す概念図である。
【図１０】タッチパネル装置が接触領域の位置を検出する処理の手順を示すフローチャートである。
【図１１】タッチパネル装置がイレーサを用いて画像の内容の一部を消去する処理の手順を示すフローチャートである。
【図１２】Ｓ２０４の距離計算処理のサブルーチンの処理の手順を示すフローチャートである。
【図１３】Ｓ２０８の消去領域設定処理のサブルーチンの処理の手順を示すフローチャートである。
【図１４】消去領域を設定したタッチパネル装置を示す模式的正面図である。
【図１５】実施形態２に係るイレーサの構成を示す模式図である。
【図１６】実施形態２に係る消去領域テーブルの内容例を示す概念図である。
【図１７】実施形態２に係る消去領域を設定したタッチパネル装置を示す模式的正面図である。
【図１８】実施形態３に係るイレーサの構成を示す模式図である。
【図１９】実施形態３に係る消去領域テーブルの内容例を示す概念図である。
【発明を実施するための形態】
【００１７】
以下本発明をその実施の形態を示す図面に基づき具体的に説明する。
（実施形態１）
図１は、タッチパネルセットを示す模式図である。タッチパネルセットは、タッチパネル装置１と、イレーサ２とを含んでいる。タッチパネル装置１は、平面状の表示面１０を備えている。タッチパネル装置１は、表示面１０に接触した物体の位置を検出し、検出した物体の軌跡を表す画像を表示面１０に表示する。例えば、先端が導体になっているペン３を使用者が手で保持し、表示面１０上にペン３の先端を接触させ、ペン３を動かした場合に、ペン３の先端の軌跡を表した画像が表示面１０に表示される。イレーサ２は、表示面１０に接触し、接触部分に表示されている画像の内容を消去させるためのものである。通常、イレーサ２は使用者が手で保持し、表示面１０の任意の位置に接触させられる。
【００１８】
図２は、タッチパネル装置１の内部構成を示すブロック図である。タッチパネル装置１は、処理部１１を備える。処理部１１は、演算を行う演算部１１１、タッチパネル装置１の動作に必要な制御プログラムを記憶するＲＯＭ（Read Only Memory）１１２、演算に伴う一時的なデータを記憶するＲＡＭ（Random Access Memory）１１３、データを記憶する記憶部１１４、及び時間を計測する時計部１１５を含んでなる。ＲＯＭ１１２は、プログラム１１６を記憶している。演算部１１１は、プログラム１１６に従った処理を実行する。また、タッチパネル装置１は、液晶パネル又はＥＬ（エレクトロルミネセンス）パネル等の画像表示パネルでなる矩形平板状の表示部１３と、表示部１３に画像を表示させる制御を行う表示制御部１４とを備えている。表示部１３は表示制御部１４に接続されており、表示制御部１４は処理部１１に接続されている。また、タッチパネル装置１は、表面に接触した物体の位置を検出するタッチパネル部（検出部）１２を備えている。タッチパネル部１２は、処理部１１に接続されている。表示面１０は、タッチパネル部１２の表面である。
【００１９】
図３は、タッチパネル部１２の電気的構成を示すブロック図である。タッチパネル部１２は、制御部１２１を備えている。制御部１２１は、演算部及びメモリ等からなる。また、タッチパネル部１２は、線状のＸ軸電極を並列に所定のＸ軸方向に並べたＸ軸電極部１２２と、線状のＹ軸電極を並列に所定のＹ軸方向に並べたＹ軸電極部１２３とを備えている。Ｘ軸電極部１２２はアドレスデコーダ１２６に接続され、アドレスデコーダ１２６は制御部１２１に接続されている。Ｙ軸電極部１２３はアドレスデコーダ１２７に接続され、アドレスデコーダ１２７は制御部１２１に接続されている。また、Ｘ軸電極部１２２は走査信号発生部１２４に接続され、走査信号発生部１２４は制御部１２１に接続されている。Ｙ軸電極部１２３はＡ／Ｄコンバータ１２５に接続され、Ａ／Ｄコンバータ１２５は制御部１２１に接続されている。
【００２０】
図４は、タッチパネル部１２の一部の断面を示す模式的断面図である。表示部１３が画像を表示する向きを正面側の向きとする。表示部１３の表面にガラス製のガラス層１５３が重ねられ、ガラス層１５３の正面側に層状のＸ軸電極部１２２が配置され、Ｘ軸電極部１２２の正面側に接着材１５２を挟んで層状のＹ軸電極部１２３が配置され、Ｙ軸電極部１２３の正面側に絶縁材製の絶縁層１５１が配置されている。絶縁層１５１、Ｙ軸電極部１２３、接着材１５２、Ｘ軸電極部１２２及びガラス層１５３は透明である。Ｘ軸電極部１２２及びＹ軸電極部１２３は、ＩＴＯ（酸化インジウム錫）等の透明な導体が用いられている。表示部１３が表示した画像は、ガラス層１５３、Ｘ軸電極部１２２、接着材１５２、Ｙ軸電極部１２３及び絶縁層１５１を透過し、使用者に視認される。使用者の目には、絶縁層１５１の表面に画像が表示される。使用者から見て画像が表示される表示面１０は、絶縁層１５１の表面である。表示面１０には、ペン３等の物体が接触できる。以下、表示面１０内で物体が接触した領域を接触領域と言う。物体が表示面１０に接触した場合に、タッチパネル部１２は、物体が接触した表示面１０内の接触領域の位置を検出する。
【００２１】
図５は、Ｘ軸電極部１２２及びＹ軸電極部１２３の構成例を示す模式的平面図である。図中には、Ｘ軸電極を実線で示し、Ｙ軸電極を破線で示している。Ｘ軸電極部１２２は、複数の線状のＸ軸電極を並列に所定のＸ軸方向に並べてなる。図中には、Ｘ０からＸ９までの１０列のＸ軸電極が配列された例を示している。Ｙ軸電極部１２３は、複数の線状のＹ軸電極を並列に所定のＹ軸方向に並べてなる。図中には、Ｙ０からＹ６までの７列のＹ軸電極が配列された例を示している。夫々のＹ軸電極は、Ｘ軸電極に交差している。また、Ｙ軸方向は、Ｘ軸方向に交差する方向である。図中に示すように、Ｘ軸電極及びＹ軸電極はモザイク状に形成されている。
【００２２】
タッチパネル部１２の検出方式は、投影型の静電容量方式であり、複数の接触領域の位置の検出を可能にする。制御部１２１は、複数のＸ軸電極を順次選択するための信号をアドレスデコーダ１２６へ出力する。また、制御部１２１は、走査信号発生部１２４に、複数のＸ軸電極に順次印加される交流電圧である走査信号を発生させる。アドレスデコーダ１２６は、制御部１２１からの信号に応じて、Ｘ軸電極Ｘ０〜Ｘ９の何れか一つを選択する信号をＸ軸電極部１２２へ出力する。選択されたＸ軸電極には、走査信号が印加される。制御部１２１は、複数のＹ軸電極を順次選択するための信号をアドレスデコーダ１２７へ出力する。アドレスデコーダ１２７は、制御部１２１からの信号に応じて、Ｙ軸電極Ｙ０〜Ｙ６の何れか一つを選択する信号をＹ軸電極部１２３へ出力する。選択されたＹ軸電極は、走査信号が印加されたＸ軸電極との間の静電容量を示す信号をＡ／Ｄコンバータ１２５へ出力する。Ａ／Ｄコンバータ１２５は、信号をデジタル信号へ変換し、変換後の信号を制御部１２１へ出力する。制御部１２１は、各Ｘ軸電極に順次走査信号を印加させ、各Ｙ軸電極から静電容量を示す信号を順次取得するように、処理を実行する。これにより、制御部１２１は、Ｘ軸電極とＹ軸電極との夫々の組み合わせについて静電容量を示す信号を順次取得する。
【００２３】
ペン３の先端又は人間の指等の導電性の物体が表示面１０にある程度以上近接又は接触した場合、物体とＸ電極及びＹ電極との間で容量結合が発生し、容量結合が発生した部分では、Ｘ軸電極とＹ軸電極との間の静電容量が変化する。制御部１２１は、静電容量を示す信号から、静電容量の変化を検出し、静電容量が変化したＸ電極及びＹ電極を特定し、表示面１０上で物体が近接又は接触した位置のＸ座標及びＹ座標を検出する。以下、タッチパネル部１２で静電容量の変化が検出できる程度まで物体が表示面１０に近接した状態を含めて、物体が表示面１０に接触した状態と言う。このようにして、タッチパネル部１２は、物体が接触した表示面１０内の接触領域の位置を検出する。複数の物体が表示面１０に接触している場合、タッチパネル部１２は、複数の接触領域の位置を検出する。
【００２４】
制御部１２１は、検出した接触領域の位置を示すデータを処理部１１へ出力する。演算部１１１は、接触領域の位置を示すデータを取得し、記憶部１１４に記憶させる。記憶部１１４は、タッチパネル部１２で順次生成される接触領域の位置を示すデータを順次記憶する。演算部１１１は、接触領域の位置を示すデータを取得する都度、接触領域の軌跡を含んだ画像を生成し、表示制御部１４を動作させて、生成した画像を表示部１３に表示させる。例えば、演算部１１１は、生成した画像を表す画像データを表示制御部１４へ出力し、表示制御部１４は、画像データに基づいて表示部１３に画像を表示させる。このようにして、ペン３の先端又は人間の指等の物体が接触した接触領域の軌跡が表示面１０に表示される。例えば、使用者がペン３を用いて描いた絵を含む画像が表示面１０に表示される。
【００２５】
イレーサ２は、直方体の形状をなし、表示面１０に接触するための接触面を有している。なお、イレーサ２は、接触面を有していれば、直方体以外の形状であってもよい。図６は、イレーサ２の接触面２１を示す模式図である。接触面２１は、平面であり、表示面１０に接触してもタッチパネル部１２に接触が検出されない被検出領域２３と、タッチパネル部１２に接触が検出される検出領域２２とを含んでいる。被検出領域２３は非導電性材で形成されており、検出領域２２は導電性材で形成されている。例えば、イレーサ２全体が非導電性材で形成されており、接触面２１の一部に、導電性材製の検出領域２２が設けられている。接触面２１内には二個の検出領域２２が含まれており、二個の検出領域２２は所定の距離だけ離隔している。例えば、接触面２１は矩形であり、二個の検出領域２２は接触面２１の長辺方向に並んでいる。
【００２６】
タッチパネル装置１は、イレーサ２の接触面２１が表示面１０に接触した場合に、接触面２１内の検出領域２２が接触した位置に応じて、画像の内容の一部を消去するための消去領域を表示面１０内に設定する。ＲＯＭ１１２は、設定すべき消去領域に関する情報を記録した消去領域テーブル１１２ａを記憶している。図７は、実施形態１に係る消去領域テーブル１１２ａの内容例を示す概念図である。消去領域は矩形であるとされ、検出領域間距離と、消去領域の長辺サイズと消去領域の短辺サイズとが互いに関連付けて記録されている。検出領域間距離は、図６に示すように、検出領域２２の中心間の距離である。長辺サイズは、消去領域の長辺方向の長さである。消去領域の長辺方向は、二個の検出領域２２に対応する接触領域を結んだ直線に沿った方向である。短辺サイズは、消去領域の短辺方向の長さである。消去領域の短辺方向は、長辺方向に直交する方向である。例えば、消去領域の大きさは、イレーサ２の接触面２１の大きさとほぼ同一である。
【００２７】
以下、接触領域の位置を検出する処理、及びイレーサ２を用いて画像の内容の一部を消去する処理を説明する。処理部１１は、接触領域の位置及び接触開始時点を記録した接触領域テーブルと、タッチパネル部１２で検出した接触領域の位置及び検出時点を記録した検出結果テーブルとをＲＡＭ１１３又は記憶部１１４に記憶する。
【００２８】
図８は、接触領域テーブルの内容例を示す概念図である。接触領域テーブルには、接触領域のｘ座標、ｙ座標及び接触開始時点が互いに関連付けて記録されている。接触領域テーブルには、ｎ（ｎは自然数）個の接触領域のデータが記録されるようになっている。接触領域テーブルに記録されたｉ番目の接触領域のｘ座標、ｙ座標及び接触開始時点を、ｘ（ｉ）、ｙ（ｉ）及びｔ（ｉ）とする。ｉ＝１〜ｎである。また、接触領域テーブルには、各接触領域がイレーサ２が使用している接触領域であるか否かを示すイレーサ使用フラグＥＦ（ｉ）が記録されている。イレーサ２が使用している接触領域についてはイレーサ使用フラグは１となり、イレーサ２が使用していない接触領域についてはイレーサ使用フラグは０となっている。検出されている接触領域の数がｎよりも少ない場合、接触領域テーブル中で、検出されている接触領域に関するデータ以外のデータはブランク又は０になっている。
【００２９】
図９は、検出結果テーブルの内容例を示す概念図である。検出結果テーブルには、ｎ個の接触領域のデータが記録されており、接触領域のｘ座標、ｙ座標及び検出時点が互いに関連付けて記録されている。検出結果テーブルに記録されたｉ番目の接触領域のｘ座標、ｙ座標及び検出時点を、ｘ１（ｉ）、ｙ１（ｉ）及びｔ１（ｉ）とする。検出された接触領域の数がｎよりも少ない場合、検出結果テーブル中で、検出された接触領域に関するデータ以外のデータはブランク又は０になっている。接触領域はある程度の広さを有しており、接触領域内には連続した複数の座標が含まれることがある。演算部１１１は、連続した複数の座標の中のいずれかの座標を接触領域の座標として検出結果テーブルに記録する。例えば、演算部１１１は、接触領域の中心の座標を検出結果テーブルに記録する。
【００３０】
図１０は、タッチパネル装置１が接触領域の位置を検出する処理の手順を示すフローチャートである。タッチパネル部１２は、前述したように、複数のＸ軸電極に走査信号を順次印加し、複数のＹ軸電極から静電容量を示す信号を順次取得することによって、Ｘ軸電極部１２２及びＹ軸電極部１２３の走査を行い、接触領域の位置を検出する（Ｓ１０１）。タッチパネル部１２は、検出した接触領域の位置を示すデータを処理部１１へ出力する。演算部１１１は、タッチパネル部１２が検出した接触領域の位置、及び時計部１１５が計測した接触時点を含む検出結果を、検出結果テーブルに記録する（Ｓ１０２）。演算部１１１は、次に、検出結果テーブルに記録されている夫々の検出結果を参照するためのカウンタＣＣを１に設定する（Ｓ１０３）。演算部１１１は、次に、接触領域テーブルに記録されている夫々の接触領域のデータを参照するためのカウンタＣを１に設定する（Ｓ１０４）。
【００３１】
演算部１１１は、次に、接触領域テーブル及び検出結果テーブルを参照して、Ｘ座標の差ｘ（Ｃ）−ｘ１（ＣＣ）を計算し、ｘ（Ｃ）−ｘ１（ＣＣ）の絶対値が所定の値Ｄ未満であるか否かを判定する（Ｓ１０５）。所定の値Ｄは、接触領域テーブルに記録された座標と検出結果テーブルに記録された座標とが同一物体による接触領域の座標であるか否かを判定するための値である。Ｄが小さ過ぎる場合は同一物体を別の物体と判定する虞があり、Ｄが大きすぎる場合は別の物体を同一物体と判定する虞がある。接触領域の位置の検出並びに接触領域テーブル及び検出結果テーブルの書き換えを繰り返す頻度が高いほど、Ｄの値を小さくすることができる。ＲＯＭ１１２には、予め適切なＤの値が記憶されている。ｘ（Ｃ）−ｘ１（ＣＣ）の絶対値がＤ未満である場合（Ｓ１０５：ＹＥＳ）、演算部１１１は、Ｙ座標の差ｙ（Ｃ）−ｙ１（ＣＣ）を計算し、ｙ（Ｃ）−ｙ１（ＣＣ）の絶対値が所定の値Ｄ未満であるか否かを判定する（Ｓ１０６）。Ｓ１０５とＳ１０６とで用いるＤの値は、同一でもよく、異なっていてもよい。
【００３２】
ｙ（Ｃ）−ｙ１（ＣＣ）の絶対値がＤ未満である場合（Ｓ１０６：ＹＥＳ）、演算部１１１は、検出結果テーブルに記録された検出時点ｔ１（ＣＣ）を、接触領域テーブルに記録された接触開始時点ｔ（Ｃ）で上書きする（Ｓ１０７）。この場合、接触領域テーブルに記録された座標ｘ（Ｃ）及びｙ（Ｃ）と検出結果テーブルに記録された座標ｘ１（ＣＣ）及びｙ１（ＣＣ）は、同一物体による接触領域の座標である。この物体は、検出結果テーブルに記録された検出時点よりも以前の時点から表示面１０に接触している。そこで、ｔ１（ＣＣ）をｔ（Ｃ）で上書きすることにより、物体の接触開始時点を検出結果テーブルに記録する。
【００３３】
ｘ（Ｃ）−ｘ１（ＣＣ）の絶対値がＤ以上である場合（Ｓ１０５：ＮＯ）、又はｙ（Ｃ）−ｙ１（ＣＣ）の絶対値がＤ以上である場合（Ｓ１０６：ＮＯ）、演算部１１１は、接触領域のデータを参照するためのカウンタＣをインクリメントする（Ｓ１０８）。具体的には、Ｃの値を１増やす。演算部１１１は、次に、Ｃが接触領域のデータの数ｎを超過しているか否かを判定する（Ｓ１０９）。Ｃがｎ以下である場合（Ｓ１０９：ＮＯ）、演算部１１１は、処理をＳ１０５へ戻す。Ｃがｎを超過している場合（Ｓ１０９：ＹＥＳ）、演算部１１１は、検出結果を参照するためのカウンタＣＣをインクリメントする（Ｓ１１０）。具体的には、ＣＣの値を１増やす。
【００３４】
Ｓ１０７の終了後、又はＳ１１０の終了後、演算部１１１は、ＣＣがｎを超過しているか否かを判定する（Ｓ１１１）。ＣＣがｎ以下である場合（Ｓ１１１：ＮＯ）、演算部１１１は、処理をＳ１０４へ戻す。ＣＣがｎを超過している場合（Ｓ１１１：ＹＥＳ）、演算部１１１は、接触領域テーブルに検出結果テーブルをコピーし、検出結果テーブルをクリアする（Ｓ１１２）。即ち、接触領域テーブルのＸ座標、Ｙ座標及び接触開始時点は、検出結果テーブルに記録されていたＸ座標、Ｙ座標及び検出時点に書き換えられる。Ｓ１１２の処理により、接触領域テーブルに記録されている接触領域の座標が更新され、新たな接触領域に関する座標及び接触開始時点が接触領域テーブルに記録され、検出されなかった接触領域に関する座標及び接触開始時点は接触領域テーブルから削除される。検出時点よりも以前の時点から表示面１０に接触している物体に関しては、Ｓ１０７で検出時点が接触開始時点で上書きされているので、Ｓ１１２の処理後は、接触開始時点が保存された上で接触領域の座標が更新されている。Ｓ１１２の終了後、演算部１１１は、接触領域の位置を検出するための処理を終了する。タッチパネル装置１は、Ｓ１０１〜Ｓ１１２の処理を随時繰り返し、接触領域テーブルは随時更新される。
【００３５】
図１１は、タッチパネル装置１がイレーサ２を用いて画像の内容の一部を消去する処理の手順を示すフローチャートである。演算部１１１は、ＲＡＭ１１３又は記憶部１１４に記憶している接触領域テーブルを参照し（Ｓ２０１）、複数の接触領域のデータが接触領域テーブルに記録されているか否かを判定する（Ｓ２０２）。複数の接触領域のデータが接触領域テーブルに記録されている場合は（Ｓ２０２：ＹＥＳ）、演算部１１１は、接触領域テーブルに基づき、接触開始時点が一致する接触領域の組み合わせがあるか否かを判定する（Ｓ２０３）。例えば、演算部１１１は、接触開始時点の差の絶対値が所定の許容値未満である場合に、接触開始時点が一致すると判定する。接触開始時点が一致する接触領域の組み合わせがある場合は（Ｓ２０３：ＹＥＳ）、接触開始時点が一致する接触領域間の距離を計算する処理を行う（Ｓ２０４）。
【００３６】
図１２は、Ｓ２０４の距離計算処理のサブルーチンの処理の手順を示すフローチャートである。演算部１１１は、接触領域テーブルにデータが記録されている複数の接触領域の中から、接触開始時点が一致する二個の接触領域の組を選択する（Ｓ３１）。演算部１１１は、次に、選択した二個の接触領域のＸ座標間の距離を計算する（Ｓ３２）。一方のＸ座標をｘ（１）、他方をｘ（２）とすると、演算部１１１は、Ｓ３２で、Ｘ座標間距離Ｘｄを、Ｘｄ＝ｘ（１）−ｘ（２）の式により計算する。演算部１１１は、次に、選択した二個の接触領域のＹ座標間の距離を計算する（Ｓ３３）。一方のＹ座標をｙ（１）、他方をｙ（２）とすると、演算部１１１は、Ｓ３３で、Ｙ座標間距離Ｙｄを、Ｙｄ＝ｙ（１）−ｙ（２）の式により計算する。演算部１１１は、次に、計算したＸ座標間距離及びＹ座標間距離から、二個の接触領域の間の距離を計算する（Ｓ３４）。具体的には、演算部１１１は、接触領域間距離Ｔｄを、Ｔｄ＝（Ｘｄ2 ＋Ｙｄ2 ）1/2 の式により計算する。なお、Ｔｄの値を、Ｔｄ＝Ｘｄ2 ＋Ｙｄ2 の式で計算してもよい。但し、この場合は、後述のＳ２０６で接触領域間距離と検出領域間距離とを比較する際に検出領域間距離を二乗するか、又は、消去領域テーブルに検出領域間距離の二乗値を記録しておく。
【００３７】
演算部１１１は、次に、接触開始時点が一致しており、まだ距離を計算していない他の接触領域の組があるか否かを判定する（Ｓ３５）。他の接触領域の組がある場合は（Ｓ３５：ＹＥＳ）、演算部１１１は、処理をＳ３１へ戻し、他の接触領域の組を選択する。他の接触領域の組が無い場合は（Ｓ３５：ＮＯ）、演算部１１１は、Ｓ２０４の距離計算処理のサブルーチンを終了し、処理をメインへ戻す。
【００３８】
演算部１１１は、次に、ＲＯＭ１１２に記憶している消去領域テーブルを参照し（Ｓ２０５）、距離を計算した接触領域の組の中に、計算した接触領域間距離と消去領域テーブルに記録されている検出領域間距離とが一致する組があるか否かを判定する（Ｓ２０６）。例えば、演算部１１１は、接触領域間距離と検出領域間距離との差を計算し、計算した差の絶対値が所定の許容値未満である場合に、接触領域間距離と検出領域間距離とが一致すると判定する。接触領域間距離と検出領域間距離とが一致する接触領域の組がある場合は（Ｓ２０６：ＹＥＳ）、この組に含まれる二個の接触領域の位置を、イレーサ２に関する接触領域の位置としてＲＡＭ１１３又は記憶部１１４に記憶する（Ｓ２０７）。具体的には、二個の接触領域は、イレーサ２の二個の検出領域２２が表示面１０に接触した接触領域である。また、Ｓ２０７では、演算部１１１は、イレーサ２に関する二個の接触領域について、接触領域テーブルに記録されているイレーサ使用フラグを１にする。
【００３９】
演算部１１１は、次に、表示面１０内に消去領域を設定する処理を行う（Ｓ２０８）。図１３は、Ｓ２０８の消去領域設定処理のサブルーチンの処理の手順を示すフローチャートである。演算部１１１は、イレーサ２に関する二個の接触領域の位置に応じて、表示面１０内での消去領域の位置を決定する（Ｓ４１）。具体的には、演算部１１１は、二個の接触領域の中点の位置が矩形の消去領域の中心の位置になるように、消去領域の位置を決定する。演算部１１１は、次に、イレーサ２に関する二個の接触領域の前記表示面内での配置に応じて、表示面１０内での消去領域の向きを決定する（Ｓ４２）。具体的には、演算部１１１は、二個の接触領域の座標から、二個の接触領域を結んだ直線の傾きを計算し、消去領域の長辺の傾きを、計算した直線の傾きと同じ傾きに決定する。計算した傾きは、表示面１０のＸ軸又はＹ軸に対する傾きである。演算部１１１は、次に、消去領域テーブル１１２ａに記録されている長辺サイズ及び短辺サイズを読み出して、消去領域のサイズを決定する（Ｓ４３）。具体的には、演算部１１１は、傾きを決定した長辺の長さを読み出した長辺サイズに定め、長辺に直交する短辺の長さを読み出した短辺サイズに定める。演算部１１１は、次に、表示面１０内の決定した位置に、決定した向き及び決定したサイズの消去領域を設定し（Ｓ４４）、処理をメインへ戻す。
【００４０】
図１４は、消去領域を設定したタッチパネル装置１を示す模式的正面図である。図中には、消去領域１０１を破線で示している。使用者がイレーサ２を手で保持して接触面２１を表示面１０に接触させた場合、イレーサ２の位置に応じた位置に、イレーサ２の向きに応じた向きの消去領域１０１が設定される。図中の例では、表示面１０内で、イレーサ２が接触した部分が消去領域１０１となっている。
【００４１】
演算部１１１は、次に、表示面１０に表示している画像の内容の内、消去領域内に含まれる部分を画像から消去する処理を行う（Ｓ２０９）。例えば、演算部１１１は、消去領域が設定されるまで表示面１０に表示されていた画像から、消去領域内に含まれる部分を消去した新たな画像を生成し、生成した画像を表す画像データを表示制御部１４へ出力し、表示制御部１４は、画像データに基づいて表示部１３に画像を表示させる。このようにして、表示面１０に表示された画像の内容の一部が消去される。演算部１１１は、次に、接触領域テーブルを新たに参照し、接触領域テーブルに記録された接触領域の位置の内、消去領域内に含まれる接触領域の位置を参照する（Ｓ２１０）。接触領域テーブルは随時更新されており、接触領域の位置は変化している可能性がある。但し、消去領域を設定してから経過した時間が短いので、イレーサ２に関する二個の接触領域は消去領域内に存在する可能性が高い。Ｓ２１０では、接触領域テーブルに記録されたイレーサ使用フラグを参照してもよい。
【００４２】
演算部１１１は、消去領域内に接触領域が存在するか否かを判定する（Ｓ２１１）。消去領域内に接触領域が存在しない場合は（Ｓ２１１：ＮＯ）、演算部１１１は、処理をＳ２０１へ戻す。接触領域が存在する場合は（Ｓ２１１：ＹＥＳ）、演算部１１１は、消去領域内の接触領域の位置が変化しているか否かを判定する（Ｓ２１２）。接触領域の位置が変化していない場合は（Ｓ２１２：ＮＯ）、演算部１１１は、処理をＳ２０１へ戻す。触領域の位置が変化している場合は（Ｓ２１２：ＹＥＳ）、演算部１１１は、処理をＳ２０８へ戻す。消去領域内の接触領域の位置が変化していることは、イレーサ２が移動したことを意味し、移動したイレーサ２に応じた消去領域がＳ２０８で再度設定される。使用者がイレーサ２を表示面１０に接触させながら移動させることに応じて、消去領域が移動し、消去が行われる。なお、Ｓ２０６で接触領域間距離と検出領域間距離とが一致する接触領域の組が複数ある場合は、演算部１１１は、Ｓ２０７〜Ｓ２１２の処理を複数の組の夫々について実行する。
【００４３】
複数の接触領域のデータが接触領域テーブルに記録されていない場合（Ｓ２０２：ＮＯ）、接触開始時点が一致する接触領域の組み合わせが無い場合（Ｓ２０３：ＮＯ）、又は接触領域間距離と検出領域間距離とが一致する接触領域の組が無い場合は（Ｓ２０６：ＮＯ）、演算部１１１は、通常の処理を実行し（Ｓ２１３）、処理を終了する。Ｓ２１３では、演算部１１１は、位置を検出した接触領域の軌跡を含んだ画像を生成し、表示制御部１４を動作させて、生成した画像を表示部１３に表示させる。また、演算部１１１は、Ｓ２１３で、接触領域の位置に応じたその他の処理を実行してもよい。タッチパネル装置１は、Ｓ２０１〜Ｓ２１３の処理を随時繰り返す。
【００４４】
以上詳述した如く、本実施形態においては、イレーサ２の接触面２１にタッチパネル部１２での検出が可能な二個の検出領域２２を設けておき、タッチパネル装置１は、同時的に検出した二個の接触領域の間の距離が所定の距離と一致する場合に、表示面１０内に消去領域を設定する。消去領域は特定の形状及び大きさを有しており、表示面１０に表示された画像の内容の内、消去領域内に含まれた部分が消去される。検出領域２２に対応する二個の接触領域の間の距離に基づいて、イレーサ２が接触しているか否かを判定するので、タッチパネル装置１は、手のひら又は肘等のある程度の面積を有する導電性の物体が表示面１０に接触した場合でも、イレーサ２の接触であると誤認識し難い。タッチパネル装置１は、イレーサ２の接触面２１の形状を認識する必要は無く、予め定められた形状及び大きさの消去領域を設定する。タッチパネル装置１は、検出領域２２に対応する接触領域の位置を正確に検出することができ、検出した接触領域の位置に応じて消去領域の位置を正確に定めることができる。また、タッチパネル装置１は、検出領域２２に対応する二個の接触領域を結んだ直線の向きに応じて、消去領域の向きを正確に定めることができる。このようにして、タッチパネル装置１は、表示面１０内に消去領域を適切に設定することができる。適切な消去領域が設定されるので、使用者は、イレーサ２を用いて、表示面１０に表示された画像の内容を意図通りに消去することが可能である。
【００４５】
（実施形態２）
図１５は、実施形態２に係るイレーサ２の構成を示す模式図である。イレーサ２は、二個の検出領域２２及び非検出領域を含む第１の接触面２１以外に、第２の接触面２４を備えている。第２の接触面２４は、第１の接触面２１と同様に、平面であり、表示面１０に接触してもタッチパネル部１２に接触が検出されない被検出領域２６と、タッチパネル部１２に接触が検出される二個の検出領域２５とを含んでいる。被検出領域２６は非導電性材で形成されており、検出領域２５は導電性材で形成されている。例えば、第２の接触面２４は矩形であり、二個の検出領域２５は第２の接触面２４の長辺方向に並んでいる。第２の接触面２４の面積は、第１の接触面２１の面積よりも小さくなっている。二個の検出領域２５の間の距離は、二個の検出領域２２の間の距離よりも短くなっている。イレーサ２は、第１の接触面２１及び第２の接触面２４が同時にタッチパネル装置１の表示面１０に接触することができないように形成されている。使用者は、イレーサ２を手で保持し、いずれか一方の接触面を表示面１０に接触させることができる。タッチパネル装置１の構成は、実施形態１と同様である。
【００４６】
図１６は、実施形態２に係る消去領域テーブル１１２ａの内容例を示す概念図である。検出領域間距離、消去領域の長辺サイズ及び消去領域の短辺サイズが互いに関連付けられたデータが、二種類記録されている。即ち、検出領域２２と検出領域２５との夫々について、検出領域間距離が記録され、各検出領域間距離に関連付けて消去領域の長辺サイズ及び短辺サイズが記録されている。検出領域２２の検出領域間距離に関連付けて記録された消去領域の長辺サイズ及び短辺サイズは、第１の接触面２１に関する消去領域の大きさを規定しており、検出領域２５の検出領域間距離に関連付けて記録された消去領域の長辺サイズ及び短辺サイズは、第２の接触面２４に関する消去領域の大きさを規定している。第２の接触面２４に関する消去領域の大きさは、第１の接触面２１に関する消去領域の大きさよりも小さい。例えば、第２の接触面２４に関する消去領域の大きさは、第２の接触面２４の大きさとほぼ同一である。
【００４７】
タッチパネル装置１は、実施形態１とほぼ同様の処理を実行する。Ｓ２０６では、演算部１１１は、消去領域テーブル１１２ａに記録された二種類の検出領域間距離と接触領域間距離とを比較する。Ｓ２０８では、演算部１１１は、接触領域間距離と一致した検出領域間距離に応じた消去領域を設定する。即ち、接触領域間距離と一致した検出領域間距離に関連付けられている長辺サイズ及び短辺サイズで規定された大きさの消去領域が設定される。検出領域２２の検出領域間距離と接触領域間距離とが一致した場合は、検出領域２２の検出領域間距離に応じた大きさの消去領域が設定され、検出領域２５の検出領域間距離と接触領域間距離とが一致した場合は、検出領域２５の検出領域間距離に応じた大きさの消去領域が設定される。
【００４８】
図１７は、実施形態２に係る消去領域を設定したタッチパネル装置１を示す模式的正面図である。図中には、第１の接触面２１に関する消去領域１０１と、第２の接触面２４に関する消去領域１０２とを破線で示している。なお、単一のイレーサ２が用いられている場合は、消去領域１０１と消去領域１０２とが同時に設定されることは無い。消去領域１０２の大きさは、消去領域１０１の大きさよりも小さい。使用者がイレーサ２を手で保持し、第１の接触面２１を表示面１０に接触させた場合、消去領域１０１が設定される。また、第２の接触面２４を表示面１０に接触させた場合、消去領域１０２が設定される。使用者がいずれか一方の接触面を表示面１０に接触させることに応じて、大きさの異なる消去領域のいずれか一方が設定される。使用者は、イレーサ２の第１の接触面２１を表示面１０に接触させることによって、広い面積で画像の内容を消去し、第２の接触面２４を表示面１０に接触させることによって、狭い面積で画像の内容を消去することができる。
【００４９】
本実施形態においても、タッチパネル装置１は、イレーサ２の検出領域に対応する二個の接触領域の間の距離及び位置に応じて、表示面１０内に消去領域を適切に設定することができる。また、タッチパネル装置１は、表示面１０に接触されたイレーサ２の接触面に応じて、面積の異なる二種類の表示領域の何れか一方を設定する。使用者は、表示面１０に接触させる接触面を選択することによって、用途に応じて消去領域の大きさを選択することができる。従って、使用者は、イレーサ２を用いて、表示面１０に表示された画像の内容を意図通りに消去することが可能である。
【００５０】
なお、以上の実施形態１及び２においては、同時的に検出した二個の接触領域の間の距離を計算する形態を示したが、タッチパネル装置１は、同時的に検出した接触領域の組み合わせ以外の組み合わせについても、二個の接触領域の間の距離を計算する形態であってもよい。具体的には、演算部１１１は、Ｓ２０３を省略した処理を実行する。また、タッチパネル装置１は、イレーサ２に関する接触領域を判定するための距離に幅を持たせた形態であってもよい。具体的には、消去領域テーブル１１２ａには、検出領域間距離として、９５〜１０５等のようにある程度の広さの範囲の値が記録されている。記録された値の範囲には、実際の検出領域２２又は２５の間の距離が含まれている。演算部１１１は、Ｓ２０６で、消去領域テーブル１１２ａに記録された検出領域間距離の値の範囲に接触領域間距離が含まれることを、イレーサ２に関する接触領域を判定する条件とする。これら形態においても、タッチパネル装置１は、イレーサ２に関する接触領域を判定し、消去領域を適切に設定することができる。
【００５１】
また、以上の実施形態１及び２においては、イレーサ２に関する接触領域を判定するために接触領域間距離を用いる形態を示したが、タッチパネル装置１は、接触領域間距離に加えて接触領域の大きさを用いてイレーサ２に関する接触領域を判定する形態であってもよい。この形態では、消去領域テーブル１１２ａは、イレーサ２の検出領域の大きさに対応する接触領域の大きさを記録している。演算部１１１は、タッチパネル部１２が検出した接触領域の位置を示すデータに基づき、接触領域に含まれる連続した複数の座標の数から接触領域の大きさを計算し、検出結果テーブル及び接触領域テーブルに記録する。また、演算部１１１は、Ｓ２０６で、接触領域間距離と検出領域間距離とが一致することに加えて、接触領域の大きさが所定の大きさであることを、イレーサ２に関する接触領域を判定する条件とする。
【００５２】
また、実施形態１及び２においては、イレーサ２の接触面に二個の検出領域が含まれた形態を示したが、イレーサ２の接触面に含まれる検出領域の数は三個以上であってもよい。この形態では、演算部１１１は、接触開始時点が一致する三個以上の接触領域について、Ｓ２０４の処理を実行する。イレーサ２に関する接触領域を判定するために接触領域の大きさを用いること、又はイレーサ２の接触面に含まれる検出領域の数を三個以上とすることによって、イレーサ２に関する接触領域をより正確に判定することが可能となる。
【００５３】
また、実施形態１及び２においては、消去領域の形状を矩形であるとしたが、消去領域の形状は矩形以外の形状であってもよい。また、実施形態１及び２においては、イレーサ２の接触面が表示面１０に接触した位置とほぼ同一の位置に消去領域が設定される形態を示したが、消去領域の大きさは、イレーサ２の接触面より大きくてもよく、小さくてもよい。また、タッチパネル装置１は、イレーサ２の接触面が表示面１０に接触した位置とは異なる位置に消去領域を設定してもよい。この形態では、演算部１１１は、Ｓ２１０〜Ｓ２１２の処理を行わず、Ｓ２０９の後、処理をＳ２０１へ戻す。
【００５４】
（実施形態３）
図１８は、実施形態３に係るイレーサ２の構成を示す模式図である。イレーサ２は、ｍ個（ｍは三以上の自然数）の接触面２１を備えている。例えば、イレーサ２の形状は直方体であり、イレーサ２が有する六面の夫々が接触面２１になっている。各接触面２１には、非検出領域２３及び複数の検出領域２２が含まれている。被検出領域２３は非導電性材で形成されており、検出領域２２は導電性材で形成されている。一の接触面２１に三個以上の検出領域２２が含まれていてもよい。複数の検出領域２２は、各接触面２１内の予め定められた位置に配置されている。検出領域２２が三個以上の場合は、複数の検出領域２２は直線状以外の配置が可能である。図１８には、一の接触面２１内で三個の検出領域２２が三角形状に配置された例を示している。複数の検出領域２２のサイズ、数、配置及び検出領域間距離の組み合わせは、接触面２１別に異なっている。イレーサ２は、複数の接触面２１が同時にタッチパネル装置１の表示面１０に接触することができないように形成されている。使用者は、イレーサ２を手で保持し、いずれか一つの接触面２１を表示面１０に接触させることができる。タッチパネル装置１の構成は、実施形態１と同様である。
【００５５】
図１９は、実施形態３に係る消去領域テーブル１１２ａの内容例を示す概念図である。検出領域間距離、検出領域サイズ、検出領域数、検出領域配置、消去領域形状及び消去領域サイズの組み合わせがｍ個記録されている。即ち、ｍ個の接触面２１の夫々について、検出領域間距離Ｄ（ｉ）、検出領域サイズＳ（ｉ）、検出領域数Ｎ（ｉ）及び検出領域配置Ｃ（ｉ）に関連付けて消去領域形状ＥＣ（ｉ）及び消去領域サイズＥＳ（ｉ）が記録されている。ｉ＝１〜ｍである。検出領域配置は、イレーサ２の接触面２１に含まれる複数の検出領域２２の、直線状又は三角形状等の相対的な配置の形状を示す。消去領域形状は、矩形、丸又は三角形等、消去領域の形状を規定している。消去領域の形状は、接触面２１の形状又は複数の検出領域２２が配置された形状と同じであってもよく、異なっていてもよい。消去領域サイズは、消去領域の大きさを規定している。
【００５６】
タッチパネル装置１は、実施形態１とほぼ同様の処理を実行する。演算部１１１は、タッチパネル部１２が検出した接触領域の位置を示すデータに基づき、接触領域の大きさを計算する。Ｓ２０６では、演算部１１１は、ｍ種類の検出領域間距離、検出領域サイズ、検出領域数及び検出領域配置と接触領域間距離、接触領域のサイズ、数及び配置とを比較する。Ｓ２０８では、演算部１１１は、接触領域間距離、接触領域のサイズ、数及び配置と一致した検出領域間距離、検出領域サイズ、検出領域数及び検出領域配置に応じた消去領域を設定する。即ち、接触領域間距離、接触領域のサイズ、数及び配置といずれかの検出領域間距離、検出領域サイズ、検出領域数及び検出領域配置とが一致した場合に、イレーサ２の一つの接触面２４に関する消去領域が設定される。消去領域の形状及び大きさは、消去領域テーブル１１２ａに記録されている通りに定められる。使用者がイレーサ２のｍ個の接触面２の内のいずれか一つを表示面１０に接触させることに応じて、大きさ及び形状の異なる消去領域のいずれか一つが設定される。使用者は、表示面１０に接触させる接触面２２を選択することによって、消去領域の大きさ及び形状を選択することができる。
【００５７】
なお、ｍ種類の消去領域を規定するために、検出領域間距離、検出領域サイズ、検出領域数及び検出領域配置の全てを必ずしも利用する必要は無い。例えば、検出領域間距離及び検出領域サイズの組み合わせに応じてｍ種類の消去領域を規定してもよい。また、検出領域間距離、検出領域サイズ、検出領域数及び検出領域配置に加えて他の条件を用いてもよい。
【００５８】
本実施形態においても、タッチパネル装置１は、イレーサ２の検出領域２２に対応する複数の接触領域の検出結果に応じて、表示面１０内に消去領域を適切に設定することができる。また、タッチパネル装置１は、表示面１０に接触されたイレーサ２の接触面２２に応じて、複数種類の表示領域の何れか一つを設定する。従って、使用者は、イレーサ２を用いて、表示面１０に表示された画像の内容を意図通りに消去することが可能である。
【００５９】
なお、以上の実施形態１〜３においては、消去領域テーブル１１２ａの内容が予め定められている形態を示したが、消去領域テーブル１１２ａの内容は書き換え可能であってもよい。使用者は、消去領域テーブル１１２ａの内容を書き換えることによって、消去領域の大きさ及び／又は形状を調整することができる。また、実施形態１〜３においては、タッチパネル装置１が静電容量式である形態を示したが、タッチパネル装置１は、静電容量式以外の方式で接触領域の位置を検出する形態であってもよい。
【００６０】
以上のように、本発明に係るタッチパネルセットは、画像が表示される表示面（１０）、及び該表示面（１０）上で物体が接触した接触領域の位置を検出する検出部（１２）を備えるタッチパネル装置（１）と、前記表示面（１０）が表示した画像の内容を消去するために前記表示面（１０）に接触されるイレーサ（２）とを含んだタッチパネルセットにおいて、前記イレーサ（２）は、前記表示面（１０）に接触するための接触面（２１、２４）を備え、該接触面（２１、２４）は、前記表示面（１０）への接触時に接触領域の位置が前記検出部（１２）に検出されない非検出領域（２３、２６）と、前記接触面（２１、２４）内で互いに離隔しており、前記表示面（１０）への接触時に接触領域の位置が前記検出部（１２）に検出される複数の検出領域（２２、２５）とを含んでおり、前記タッチパネル装置（１）は、複数の接触領域の位置を前記検出部（１２）が検出した場合に、前記複数の接触領域の間の距離を計算する距離計算部（Ｓ２０４）と、計算した距離に基づいて、前記複数の検出領域（２２、２５）の前記表示面（１０）への接触に対応した複数の接触領域の組があるか否かを判定する判定部（Ｓ２０６）と、前記複数の接触領域の組がある場合に、前記複数の接触領域の位置に応じた前記表示面（１０）内の位置に、特定の形状及び大きさを有する消去領域（１０１、１０２）を設定する設定部（Ｓ２０８）と、前記表示面（１０）に表示された画像から、前記消去領域（１０１、１０２）に含まれる内容を消去する消去部（Ｓ２０９）とを備えることを特徴とする。
【００６１】
本発明に係るタッチパネルセットは、前記イレーサ（２）は、前記接触面（２１、２４）を複数備えており、前記複数の検出領域（２２、２５）の間の距離は、前記接触面（２１、２４）別に異なっており、前記設定部（Ｓ２０８）は、前記複数の接触領域の間の距離に応じて前記消去領域（１０１、１０２）の形状又は大きさを定めることを特徴とする。
【００６２】
本発明に係るタッチパネルセットは、前記検出部（１２）は、静電容量式であり、前記非検出領域（２３、２６）は非導電性材で形成され、前記検出領域（２２、２５）は導電性材で形成されていることを特徴とする。
【００６３】
本発明に係るタッチパネル装置（１）は、画像が表示される表示面（１０）と、該表示面（１０）上で物体が接触した接触領域の位置を検出する検出部（１２）とを備えるタッチパネル装置（１）において、複数の接触領域の位置を前記検出部（１２）が検出した場合に、前記複数の接触領域の間の距離を計算する距離計算部（Ｓ２０４）と、計算した距離に基づいて、特定の複数の接触領域の組があるか否かを判定する判定部（Ｓ２０６）と、前記特定の複数の接触領域の組がある場合に、前記特定の複数の接触領域の位置に応じた前記表示面（１０）内の位置に、特定の形状及び大きさを有する消去領域（１０１、１０２）を設定する設定部（Ｓ２０８）と、前記表示面（１０）に表示された画像から、前記消去領域（１０１、１０２）に含まれる内容を消去する消去部（Ｓ２０９）とを備えることを特徴とする。
【００６４】
本発明に係るタッチパネル装置（１）は、前記設定部（Ｓ２０８）は、前記表示面（１０）内での前記消去領域（１０１、１０２）の向きを、前記特定の複数の接触領域の前記表示面内での配置に応じて定めることを特徴とする。
【００６５】
本発明に係るタッチパネル装置（１）は、前記設定部（Ｓ２０８）は、前記特定の複数の接触領域の間の距離に応じて前記消去領域（１０１、１０２）の形状又は大きさを定めることを特徴とする。
【００６６】
本発明に係るタッチパネル装置（１）は、接触領域の大きさを検出する大きさ検出部（１２）を更に備え、前記設定部（Ｓ２０８）は、前記特定の複数の接触領域の大きさ及び前記特定の複数の接触領域の間の距離に応じて前記消去領域（１０１、１０２）の形状又は大きさを定めることを特徴とする。
【００６７】
本発明に係るタッチパネル装置（１）は、接触領域の大きさを検出する大きさ検出部（１２）を更に備え、前記判定部（Ｓ２０６）は、前記距離計算部（Ｓ２０４）が計算した距離及び前記大きさ検出部が検出した大きさに基づいて、特定の複数の接触領域の組があるか否かを判定することを特徴とする。
【００６８】
本発明に係るプログラムは、画像が表示される表示面（１０）と、該表示面（１０）上で物体が接触した接触領域の位置を検出する検出部（１２）とを備えるタッチパネル装置（１）に、複数の接触領域の位置を前記検出部（１２）が検出した場合に、前記複数の接触領域の間の距離を計算し、計算した距離に基づいて、特定の複数の接触領域の組があるか否かを判定し、前記特定の複数の接触領域の組がある場合に、前記特定の複数の接触領域の位置に応じた前記表示面（１０）内の位置に、特定の形状及び大きさを有する消去領域（１０１、１０２）を設定し、前記表示面（１０）に表示された画像から、前記消去領域（１０１、１０２）に含まれる内容を消去する処理を実行させることを特徴とする。
【００６９】
本発明においては、タッチパネルセットは、表示面（１０）を備えるタッチパネル装置（１）と、表示面（１０）が表示した画像の内容を消去するためのイレーサ（２）とを含む。イレーサ（２）は、表示面（１０）に接触するための接触面（２１、２４）を備え、接触面（２１、２４）はタッチパネル装置（１）での検出が可能な離隔した複数の検出領域（２２、２５）を含んでいる。タッチパネル装置（１）は、検出した複数の接触領域の間の距離に基づき、接触領域が検出領域（２２、２５）の表示面（１０）への接触によるものであることを判定し、接触領域の位置に応じた表示面（１０）内の位置に消去領域（１０１、１０２）を設定する。消去領域（１０１、１０２）は特定の形状及び大きさを有しており、表示面（１０）に表示された画像の内容の内、消去領域（１０１、１０２）内に含まれた部分が消去される。複数の接触領域の間の距離に基づいて、イレーサ（２）が接触しているか否かを判定するので、タッチパネル装置（１）は、誤認識をし難く、また、イレーサ（２）の接触面（２１、２４）の形状を認識する必要が無い。
【００７０】
また、本発明においては、イレーサ（２）は複数の接触面（２１、２４）を備え、検出領域（２２、２５）間の距離は接触面（２１、２４）別に異なる。タッチパネル装置（１）は、検出領域（２２、２５）に対応する接触領域間の距離に応じて、消去領域（１０１、１０２）の形状及び大きさを定める。イレーサ（２）を用いる使用者は、タッチパネル装置（１）に接触させる接触面（２１、２４）を選択することにより、消去領域（１０１、１０２）の形状及び大きさを選択することができる。
【００７１】
また、本発明においては、タッチパネル装置（１）は静電容量式であり、イレーサ（２）の接触面（２１、２４）内の検出領域（２２、２５）は導電性材製であり、接触面（２１、２４）内の非検出領域（２３、２６）は非導電性材製である。このため、タッチパネル装置（１）は、検出領域（２２、２５）が接触した接触領域の位置を容易に検出することができる。
【００７２】
また、本発明においては、タッチパネル装置（１）は、検出領域（２２、２５）に対応する複数の接触領域の前記表示面（１０）内での配置に応じて、消去領域（１０１、１０２）の表示面（１０）内での向きを定める。このため、タッチパネル装置（１）は、イレーサ（２）の接触面（２１、２４）の形状を認識せずとも、消去領域（１０１、１０２）の向きを適切に定めることができる。
【００７３】
また、本発明においては、タッチパネル装置（１）は、接触領域の大きさを検出し、接触領域の大きさに応じて、消去領域（１０１、１０２）の形状又は大きさを定める。イレーサ（２）を用いる使用者は、タッチパネル装置（１）に接触させる接触面（２１、２４）に含まれる検出領域（２２、２５）の大きさを変えることで、消去領域（１０１、１０２）の形状及び大きさを調整する。
【００７４】
また、本発明においては、タッチパネル装置（１）は、複数の接触領域の間の距離及び接触領域の大きさに基づいて、接触領域が検出領域（２２、２５）の接触によるものであることを判定する。これにより、イレーサ（２）に関する接触領域をより正確に判定することが可能となる。
【００７５】
各実施例で記載されている技術的特徴（構成要件）はお互いに組合せ可能であり、組み合わせすることにより、新しい技術的特徴を形成することができる。今回開示された実施形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【００７６】
１  タッチパネル装置
１０  表示面
１０１、１０２  消去領域
１１  処理部
１１１  演算部
１１２  ＲＯＭ
１１２ａ  消去領域テーブル
１１６  プログラム
１２  タッチパネル部
１３  表示部
２  イレーサ
２１、２４  接触面
２２、２５  検出領域
２３、２６  非検出領域
【図１】
2017010168.tif 000003
【図２】
2017010168.tif 000004
【図３】
2017010168.tif 000005
【図４】
2017010168.tif 000006
【図５】
2017010168.tif 000007
【図６】
2017010168.tif 000008
【図７】
2017010168.tif 000009
【図８】
2017010168.tif 000010
【図９】
2017010168.tif 000011
【図１０】
2017010168.tif 000012
【図１１】
2017010168.tif 000013
【図１２】
2017010168.tif 000014
【図１３】
2017010168.tif 000015
【図１４】
2017010168.tif 000016
【図１５】
2017010168.tif 000017
【図１６】
2017010168.tif 000018
【図１７】
2017010168.tif 000019
【図１８】
2017010168.tif 000020
【図１９】
2017010168.tif 000021